(57)【要約】【課題】ケーブルヘッドを支持する架台としての機能をケーブルドラムに持たせる。【解決手段】ケーブルドラム１は、胴体１１と、円板体１０、１０とを備え、円板体１０に、ドラム固定部２０、２２を取り付け、円板体１０に、ケーブルヘッド保持部５０を着脱自在に取付け、円板体１０、１０に、ケーブルヘッド保持部５０を支持するブラケット支持部２４を取付け、胴体１１は、ケーブル１００を巻付ける回転胴１４と、回転胴１４を回転可能に支持しかつ回転胴１４に対して突出、及び引込自在の固定胴１２、１２とを有し、ドラム固定部２０は、円板体１０の外周に対して突出及び引込自在の脚部材２０ｂ、２２ｂを有し、ブラケット支持部２４は、円板体１０の外周に対して突出及び引込自在のスライド部材２４ｂを有し、ケーブルヘッド保持部５０は、ボルト５２ｂによって円板体１０、１０から突出したスライド部材２４ｂに固定され、スライド部材２４ｂを掛け渡す。【選択図】図２
2011230889.tif 000002
【特許請求の範囲】
【請求項１】
円筒状の胴体と、
当該胴体の両側部に設けられ、前記胴体の径より大きい径の一対の円板体とを備え、
ケーブルヘッドが端部に固定されたケーブルを前記胴体に巻き線するケーブルドラムにおいて、
前記一対の円板体に複数取り付けられ、前記一対の円板体の転動を規制するドラム固定手段と、
前記円板体に着脱自在に取り付けられ、前記ケーブルヘッドを保持するケーブルヘッド保持手段と、
前記一対の円板体に取り付けられ、前記円板体から取り外した前記ケーブルヘッド保持手段を支持する支持手段とを有し、
前記胴体は、前記ケーブルを巻き線する中央胴体と、一端部が前記円板体に固定され、他端部が前記中央胴体の内部に配置され、前記中央胴体の両側部から前記胴体の幅方向にスライド可能でかつ前記中央胴体を回転可能に軸支する固定胴体とを有し、
前記ドラム固定手段は、前記円板体の外周に対して突出及び引き込み自在の脚部材と、当該脚部材を前記円板体の外周から突出させた状態で、及び前記脚部材を前記円板体の外周から引き込んだ状態で前記円板体に固定する固定部材とを有し、
前記支持手段は、前記円板体の外周に対して突出及び引き込み自在でかつ先端部に前記ケーブルヘッド保持手段を支持する支持部材と、当該支持部材を前記円板体の外周から突出させた状態で、及び前記脚部材を前記円板体の外周から引き込んだ状態で保持する保持部材とを有し、
前記ケーブルヘッド保持手段は、前記一対の円板体からそれぞれ突出した前記支持部材に固定され、前記支持部材の先端部を掛け渡す長尺部材を備えることを特徴とするケーブルヘッド保持機能付ケーブルドラム。
【請求項２】
前記中央胴体から前記固定胴体を伸長させた際に形成される前記中央胴体の端部と前記円板体との間の空間に、前記中央胴体に巻き線された前記ケーブルに連結された前記ケーブルヘッドを収納することを特徴とする請求項１記載のケーブルヘッド保持機能付ケーブルドラム。
【請求項３】
前記一対の円板体の間に配置される複数の伸縮自在なローラ体をさらに備え、
当該ローラ体は、前記胴体の中心軸に平行な回転軸を有し、前記脚部材の先端をケーブルドラムの載置面に当接させた状態において、前記一対の円板体の最下位置近傍に設置されていることを特徴とする請求項１又は２記載のケーブルヘッド保持機能付ケーブルドラム。
【請求項４】
前記ケーブルヘッド保持手段の長手方向の長さは、前記中央胴体に前記固定胴体を収納させかつ前記一対の円板体の前記支持手段からそれぞれ前記支持部材を突出させた状態における、一対の前記支持部材の間の長さに設定されていることを特徴とする請求項１乃至３のいずれかに記載のケーブルヘッド保持機能付ケーブルドラム。
【請求項５】
前記一対の円板体の外側面に取っ手を設けたことを特徴とする請求項１乃至４のいずれかに記載のケーブルヘッド保持機能付ケーブルドラム。
【発明の詳細な説明】
【技術分野】
【０００１】
本発明は、ケーブルの移動に用いられ、ケーブルを巻き線するケーブルドラムに関する。
【背景技術】
【０００２】
従来より、ケーブルは、輸送時にケーブルを損傷させないように専用のケーブルドラムに格納される。ケーブルの敷設の際には、ケーブルが３相分必要であることから、ケーブルが巻き線されているケーブルドラムが３個必要となる。さらに、ケーブルドラムに巻き線されたケーブルの先端にはケーブルヘッドが連結されており、ケーブルの敷設の際には、このケーブルヘッドを保持するためのケーブル架台が必要となる。ここで、ケーブルドラムは３個必要であることから、３台のケーブル架台が必要となる。また、ケーブルの両端にケーブルヘッドが連結されている場合には６台のケーブル架台が必要となる。そして、使用場所にケーブルドラムを輸送する際には、ケーブルドラムは大型であることから、大型トラックにケーブルドラムやケーブル架台の骨組を積載して輸送する。
【０００３】
また、現地に到着した後は、次のような作業が行われる。まず、トラックからケーブルドラム及びケーブル架台の骨組を搬出する。次に、ケーブルドラムを車輪止め等で固定し、ケーブルドラムからケーブルを引き出す。次に、ケーブル架台の組み立てを行い、組み立てられたケーブル架台にケーブルヘッドを固定する。最後に、ケーブルが引き出されたケーブルドラムを所定の保管スペースに移動する。
【０００４】
また、従来のこの種の技術としては、特許文献１に記載された技術がある。特許文献１には、ケーブルドラムからケーブルを引き出して、ケーブルの両端部にケーブルヘッドを取付ける。そして、ケーブルヘッドが取り付けられたケーブルの両端部近傍をケーブル架台によって支持させる、という技術が開示されている。
【先行技術文献】
【特許文献】
【０００５】
【特許文献１】特開２００９−２０１３０８号公報
【発明の概要】
【発明が解決しようとする課題】
【０００６】
しかしながら、従来においては、ケーブルドラムに加えてケーブル架台の骨組みをトラックで運搬する必要があるため、搬入、搬出にかかる作業負担が大きくなる。また、使用場所で、ケーブル架台の組立、撤去を行う必要があるため、ケーブル架台の組立、撤去作業に、多くの人手と時間がかかる。さらに、ケーブルを敷設した後は、ケーブルドラムが不要となるため、ケーブルドラムを、使用場所を含む構内の空スペースに移動しておく必要がある。ここで、ケーブルドラムは大型であることから、ケーブルドラムを置いておくためには広い空スペースが必要となる。しかし、構内に空スペースが無い場合には、構外に空スペースを確保して搬出する必要が出てくる。
【０００７】
本発明は、このような問題点を解決することを目的とする。
【課題を解決するための手段】
【０００８】
本発明は、前記目的を達成するため、次に記載する構成を備えている。
【０００９】
（１）円筒状の胴体と、当該胴体の両側部に設けられ、前記胴体の径より大きい径の一対の円板体とを備え、ケーブルヘッドが端部に固定されたケーブルを前記胴体に巻き線するケーブルドラムにおいて、前記一対の円板体に複数取り付けられ、前記一対の円板体の転動を規制するドラム固定手段と、前記円板体に着脱自在に取り付けられ、前記ケーブルヘッドを保持するケーブルヘッド保持手段と、前記一対の円板体に取り付けられ、前記円板体から取り外した前記ケーブルヘッド保持手段を支持する支持手段とを有し、前記胴体は、前記ケーブルを巻き線する中央胴体と、一端部が前記円板体に固定され、他端部が前記中央胴体の内部に配置され、前記中央胴体の両側部から前記胴体の幅方向にスライド可能でかつ前記中央胴体を回転可能に軸支する固定胴体とを有し、前記ドラム固定手段は、前記円板体の外周に対して突出及び引き込み自在の脚部材と、当該脚部材を前記円板体の外周から突出させた状態で、及び前記脚部材を前記円板体の外周から引き込んだ状態で前記円板体に固定する固定部材とを有し、前記支持手段は、前記円板体の外周に対して突出及び引き込み自在でかつ先端部に前記ケーブルヘッド保持手段を支持する支持部材と、当該支持部材を前記円板体の外周から突出させた状態で、及び前記脚部材を前記円板体の外周から引き込んだ状態で保持する保持部材とを有し、前記ケーブルヘッド保持手段は、前記一対の円板体からそれぞれ突出した前記支持部材に固定され、前記支持部材の先端部を掛け渡す長尺部材を備えることを特徴とするケーブルヘッド保持機能付ケーブルドラム。
【００１０】
（１）によれば、胴体が伸縮自在であるため、ケーブル輸送の際には、ケーブルドラムを、中央胴体から固定胴体を引き出した状態で使用し、また、ケーブルドラムからケーブルを引き出した後は、中央胴体に固定胴体を収納して胴体を縮小する。これにより、ケーブルを引き出した後のケーブルドラムを移動する際に、ケーブルドラムの幅を縮小することにより、ケーブルドラムを置いておくために必要なスペースを縮小することが可能になる。また、ドラム固定手段の脚部材を伸長させて、脚部材の先端をケーブルドラムの載置面（例えば、地面）に当接させることにより、円板体が回転してケーブルドラム１が転がることを防止することが可能になる。また、固定胴体に対して中央胴体が回転自在であることから、ケーブルドラムを載置面に固定した状態で、ケーブルの引き出し作業を行うことが可能になる。また、ケーブルドラムからケーブルを引き出した後は、支持手段の支持部材を突出させ、支持部材にケーブルヘッド保持手段を取り付けることにより、ケーブルドラムを、ケーブルヘッドを保持するためのケーブル架台として使用することが可能になる。これにより、ケーブルヘッドを保持するための架台を別途用意する必要がなくなり、予め用意するケーブル架台の数を減らすことが可能になる。その結果、ケーブル架台の運搬、組立及び撤去にかかる負担を低減することが可能になる。
【００１１】
（２）  （１）において、前記中央胴体から前記固定胴体を伸長させた際に形成される前記中央胴体の端部と前記円板体との間の空間に、前記中央胴体に巻き線された前記ケーブルに連結された前記ケーブルヘッドを収納することを特徴とするケーブルヘッド保持機能付ケーブルドラム。
【００１２】
（２）によれば、ケーブル輸送の際に胴体を伸ばすことにより形成される中央胴体の端部と円板体との間の空間にケーブルヘッドを収納することが可能になる。
【００１３】
（３）  （１）又は（２）において、前記一対の円板体の間に配置される複数の伸縮自在なローラ体をさらに備え、当該ローラ体は、前記胴体の中心軸に平行な回転軸を有し、前記脚部材の先端をケーブルドラムの載置面に当接させた状態において、前記一対の円板体の最下位置近傍に設置されていることを特徴とするケーブルヘッド保持機能付ケーブルドラム。
【００１４】
（３）によれば、ケーブルヘッド保持手段に保持されたケーブルヘッドに連結しているケーブルを、一対の円板体に設けた複数のローラ上に載置することにより、ケーブルが地面を引きずるようなことが防止できる。
【００１５】
（４）  （１）〜（３）において、前記ケーブルヘッド保持手段の長手方向の長さは、前記中央胴体に前記固定胴体を収納させかつ前記一対の円板体の前記支持手段からそれぞれ前記支持部材を突出させた状態における、一対の前記支持部材の間の長さに設定されていることを特徴とするケーブルヘッド保持機能付ケーブルドラム。
【００１６】
（４）によれば、ケーブルドラムの幅を縮小させた状態において、一対の支持手段にケーブルヘッド保持手段に取り付けることが可能となる。これにより、ケーブルドラムをケーブルヘッドの架台として使用する際に、ケーブルドラムをコンパクトにすることが可能になり、省スペース化を図ることが可能になる。
【００１７】
（５）  （１）〜（４）において、前記一対の円板体の外側面に取っ手を設けたことを特徴とするケーブルヘッド保持機能付ケーブルドラム。
【００１８】
（５）によれば、作業者が、取っ手を持って引いたり押したりすることにより、容易にケーブルドラムの幅を変えることが可能になる。
【発明の効果】
【００１９】
本発明によれば、ケーブルドラムを、ケーブルヘッドを保持するためのケーブル架台として使用することが可能になる。これにより、ケーブルヘッドを保持するための架台を別途用意する必要がなくなり、予め用意するケーブル架台の数を減らすことが可能になる。その結果、ケーブル架台の運搬、組立及び撤去にかかる負担を低減することが可能になる。
【図面の簡単な説明】
【００２０】
【図１】本発明の一実施形態におけるケーブルドラムの構成を示す説明図である。
【図２】本発明の一実施形態におけるケーブルドラムの構成を示す説明図である。
【図３】ケーブルヘッド保持部の構成を示す図である。
【発明を実施するための形態】
【００２１】
以下、本発明の実施形態について、図面を参照しながら詳細に説明する。
図１、図２は、本発明の一実施形態におけるケーブルドラムの構成を示す説明図である。特に、図１はケーブル輸送時におけるケーブルドラムの形態を示すものであり、図１（ａ）は側面図、図１（ｂ）は正面図である。また、図２はケーブル使用時におけるケーブルドラムの形態を示すものであり、図２（ａ）は側面図、図２（ｂ）は正面図である。
【００２２】
図１（ａ）、図１（ｂ）に示すように、ケーブルドラム１は、円筒状の胴体１１と、胴体１１の径より大きい外径の円板体１０、１０とを備えており、円板体１０、１０の中心が胴体１１の中心軸上に位置するように、胴体１１の両側部に円板体１０、１０を配置してなるボビン形状の部材である。円板体１０、１０の外側の板面には、ドラム固定部２０、２２、ブラケット支持部２４及び取っ手３０が設けられている。円板体１０、１０の間には、ガイドローラが設けられている。また、片方の円板体１０の内面には、ケーブルヘッド保持部５０が設けられている。
【００２３】
円板体１０の中心には孔部１０ａが形成されており、孔部１０ａの両側部に取っ手３０、３０が設けられている。孔部１０ａ及び取っ手３０、３０は同一直線上に配置されており、円板体１０を、孔部１０ａ及び取っ手３０、３０を結ぶ直線によって二分割した場合に、一方の板面にはドラム固定部２０、２２が配置され、他方の板面にはブラケット支持部２４が配置される。また、ガイドローラ３２及びガイドローラ３４は、円板体１０、１０の内側における、ドラム固定部２０の先端部からドラム固定部２２の先端部までの外周側の領域に配置されている。
【００２４】
胴体１１は、図１（ａ）に示すように、回転胴１４と、固定胴１２、１２とによって構成されており、回転胴１４の両端部から固定胴１２、１２が、突出、及び引き込み自在に設けられている。回転胴１４は、中央胴体に相当し、固定胴１２、１２は固定胴体に相当する。
【００２５】
回転胴１４は、回転胴円筒部１４ａの両端部に円形の回転胴側板１４ｂ、１４ｂが固定されてなるボビン形状の部材であり、この回転胴１４にケーブル１００が巻き線される。回転胴側板１４ｂ、１４ｂの中心には円形の開口が形成されており、この開口の口径は回転胴円筒部１４ａの口径よりも小さく形成されている。
【００２６】
固定胴１２は、固定胴円筒部１２ａの一端部に円形の固定胴側板１２ｂが固定されてなるフランジ形状の部材である。固定胴円筒部１２ａの他端部は円板体１０に固定されている。ここで、固定胴円筒部１２ａの中心軸上に円板体１０の中心が位置している。固定胴側板１２ｂの中心には円形の開口が形成されており、固定胴円筒部１２ａの外径は、回転胴側板１４ｂの中心の開口の径より若干小さく設定されている。固定胴側板１２ｂの径は、回転胴側板１４ｂの中心の開口の径よりも大きく、回転胴円筒部１４ａの口径よりも小さい範囲の値に設定されている。
【００２７】
そして、回転胴円筒部１４ａ内に固定胴円筒部１２ａが同軸に配置され、さらに固定胴側板１２ｂは、回転胴円筒部１４ａの内部に配置されることにより、固定胴１２は回転胴１４に対して突出、及び引き込み自在になる。また、回転胴１４に対して固定胴１２を最大に伸長させた場合には、固定胴側板１２ｂが回転胴側板１４ｂに当接することによってそれ以上の伸長は規制される。逆に、回転胴１４に対して固定胴１２を押し込んで、回転胴１４内に固定胴１２を引き込ませた場合には、円板体１０が回転胴側板１４ｂに当接して、回転胴１４内に固定胴１２が収納される。
【００２８】
また、固定胴１２に対して回転胴１４は回転可能であり、円板体１０に固定胴１２を固定することにより、固定胴１２は、回転胴１４を回転可能に軸支するようになる。
【００２９】
取っ手３０は、ケーブルドラム１の幅を伸長させたり縮小させたりする場合に用いられる。例えば、二人の作業員が、ケーブルドラム１の両側部に立ち、取っ手３０を持って互いに押し込むことにより、回転胴１４内に固定胴１２が収納され、その結果、図２（ｂ）に示すように、ケーブルドラム１の幅が縮小される。逆に、取っ手３０を持って互いに引っ張り合うことにより、回転胴１４内から固定胴１２が突出し、その結果、図１（ｂ）に示すように、ケーブルドラム１の幅が伸長する。
【００３０】
ドラム固定部２０は、図１（ａ）に示すように、円板体１０、１０に取り付けたレール２０ａと、このレール２０ａに保持されかつレール２０ａに沿ってスライドする長尺の脚部材２０ｂと、脚部材２０ｂを円板体１０に固定するためのボルト２０ｃとによって構成されている。ボルト２０ｃは固定部材に相当する部材である。脚部材２０ｂは、両端部が斜めに形成された平行四辺形型であり、脚部材２０ｂの一端部側（円板体１０の中心側）には、図１（ａ）に示すように、ボルト穴２０ｄ、２０ｄが形成されており、他端部側（円板体１０の外周側）には、図２（ａ）に示すように、ボルト穴２０ｅ、２０ｅが形成されている。ボルト穴２０ｄ、２０ｄ及びボルト穴２０ｅ、２０ｅは、いずれもボルト２０ｃが螺合する穴である。
【００３１】
また、ドラム固定部２２は、図１（ａ）に示すように、円板体１０、１０に取り付けたレール２２ａと、このレール２２ａに保持されかつレール２２ａに沿ってスライドする長尺の脚部材２２ｂと、脚部材２２ｂを円板体１０に固定するためのボルト２２ｃとによって構成されている。ボルト２２ｃは固定部材に相当する部材である。脚部材２２ｂは、両端部が斜めに形成された平行四辺形型であり、脚部材２２ｂの一端部側（円板体１０の中心側）には、図１（ａ）に示すように、ボルト穴２２ｄ、２２ｄが形成されており、他端部側（円板体１０の外周側）には、図２（ａ）に示すように、ボルト穴２２ｅ、２２ｅが形成されている。ボルト穴２２ｄ、２２ｄ及びボルト穴２２ｅ、２２ｅは、いずれもボルト２２ｃが螺合する穴である。
【００３２】
ドラム固定部２０の外観は、ドラム固定部２２の鏡像に一致しており、ドラム固定部２０及びドラム固定部２２は、脚部材２０ｂ及び脚部材２２ｂが円板体１０の中心に対して略放射方向にスライドするように設置されている。脚部材２０ｂのスライド方向と脚部材２２ｂのスライド方向との角度は略９０度である。
【００３３】
脚部材２０ｂは、ボルト２０ｃによって円板体１０に固定される。脚部材２０ｂを円板体１０の外周に対して引き込んだ位置に保持する場合には、例えば、図２（ａ）に示す状態から、脚部材２０ｂをスライドさせて、ボルト穴２０ｅ、２０ｅと、円板体１０に形成された図示しないボルト穴とを一致させ、ボルト穴２０ｅ、２０ｅを介して円板体１０にボルト２０ｃを螺合する。これにより、図１（ａ）に示すように、脚部材２０ｂが円板体１０の中心側に引き込んだ状態で固定される。
【００３４】
脚部材２０ｂを円板体１０の外周に対して突出した位置に保持する場合には、例えば、図１（ａ）に示す状態から、脚部材２０ｂをスライドさせて、ボルト穴２０ｄ、２０ｄと、円板体１０に形成された図示しないボルト穴とを一致させ、ボルト穴２０ｄ、２０ｄを介して円板体１０にボルト２０ｃを螺合する。これにより、図２（ａ）に示すように、脚部材２０ｂが円板体１０の外周から突出した状態で固定される。
【００３５】
ドラム固定部２２においてもドラム固定部２０と同様であり、脚部材２２ｂは、ボルト２２ｃによって円板体１０に固定される。例えば、図２（ａ）に示す状態から、脚部材２２ｂを円板体１０の外周に対して引き込んだ位置に保持する場合には、脚部材２２ｂをスライドさせて、ボルト穴２２ｅ、２２ｅと、円板体１０に形成された図示しないボルト穴とを一致させ、ボルト穴２２ｅ、２２ｅを介して円板体１０にボルト２２ｃを螺合する。
【００３６】
脚部材２２ｂを円板体１０の外周に対して突出した位置に保持する場合には、例えば、図１（ａ）に示す状態から、脚部材２２ｂをスライドさせて、ボルト穴２２ｄ、２２ｄと、円板体１０に形成された図示しないボルト穴とを一致させ、ボルト穴２２ｄ、２２ｄを介して円板体１０にボルト２２ｃを螺合する。
【００３７】
これにより、図１（ａ）に示すように、脚部材２０ｂ、２２ｂが円板体１０の中心側に引き込んだ状態においては、円板体１０、１０が回転することによって、ケーブルドラム１が転動可能である。また、図２（ａ）に示すように、脚部材２０ｂ、２２ｂが円板体１０の外周から突出した状態においては、円板体１０、１０の回転が規制されるため、ケーブルドラム１が転がらずに維持される。
【００３８】
ガイドローラ３２及びガイドローラ３４は、図２（ａ）に示すように、ドラム固定部２０、２２から、脚部材２０ｂ、２２ｂを突出させている場合には、円板体１０の最下位置近傍付近に配置されている。具体的には、ガイドローラ３２及びガイドローラ３４は、円板体１０の外周部でかつ脚部材２０ｂから脚部材２２ｂまでの略９０度の範囲に設けられている。また、ガイドローラ３２及びガイドローラ３４の回転軸は、円板体１０、１０の内側に、胴体１１の中心軸方向に対して平行に設置されている。
【００３９】
ガイドローラ３２は、中央円筒部３２ａと、中央円筒部３２ａの一方の側部に挿入され、中央円筒部３２ａに対して突出、引き込み可能な側方円筒部３２ｂと、中央円筒部３２ａの他方の側部に挿入され、中央円筒部３２ａに対して突出、引き込み可能な側方円筒部３２ｃとから構成されている。側方円筒部３２ｂにおける突出側の端部は一方の円板体１０に固定されている。また、側方円筒部３２ｃにおける突出側の端部は他方の円板体１０に固定されている。
【００４０】
同様に、ガイドローラ３４は、中央円筒部３４ａと、中央円筒部３４ａの一方の側部に挿入され、中央円筒部３４ａに対して突出、及び引き込み可能な側方円筒部３４ｂと、中央円筒部３４ａの他方の側部に挿入され、中央円筒部３４ａに対して突出、引き込み可能な側方円筒部３２ｃとから構成されている。側方円筒部３４ｂにおける突出側の端部は一方の円板体１０に固定されている。また、側方円筒部３４ｃにおける突出側の端部は他方の円板体１０に固定されている。これにより、ケーブルドラム１の幅を変更させる際に、ガイドローラ３２及びガイドローラ３４が、胴体１１とともに伸縮するようになる。
【００４１】
ブラケット支持部２４は、円板体１０の外側の板面において、孔部１０ｂに対してドラム固定部２２の反対側に設置されている。このブラケット支持部２４は、角パイプ２４ａと、スライド部材２４ｂと、ボルト２４ｃ、２４ｃとによって構成されている。角パイプ２４ａ及びボルト２４ｃは保持部材に相当し、スライド部材２４ｂは支持部材に相当する。
【００４２】
角パイプ２４ａは、断面形状がＣ字状の長尺部材であり、円板体１０の中心に対して放射方向に延びるように、円板体１０の外側の板面に固定されている。スライド部材２４ｂは、断面形状がコ字状であり、角パイプ２４ａ内に設けられ、角パイプ２４ａの内面に沿ってスライド移動可能な長尺部材である。すなわち、スライド部材２４ｂは、角パイプ２４ａに対して突出、及び引き込みを行うことが可能である。
【００４３】
角パイプ２４ａにおける円板体１０の外周側の端部には、２つのボルト穴が形成されており、スライド部材２４ｂの両端部には、それぞれ２つのボルト穴が形成されている。さらに、円板体１０における角パイプ２４ａの２つのボルト穴との対向部位にもボルト穴が形成されている。また、スライド部材２４ｂにおける突出方向側の端部には、図２（ａ）に示すように、ボルト穴２４ｄが形成されている。このボルト穴２４ｄは、ケーブルヘッド保持手段に相当するケーブルヘッド保持部５０を固定するためのものである。
【００４４】
スライド部材２４ｂは、ボルト２４ｃ、２４ｃによって円板体１０に固定され、突出、又は引き込まれた状態が維持される。スライド部材２４ｂを円板体１０の外周に対して引き込んだ位置に保持する場合には、図１（ａ）に示すように、スライド部材２４ｂを円板体１０の中心側に移動させ、角パイプ２４ａのボルト穴、スライド部材２４ｂにおける円板体１０の外周側のボルト穴、及び円板体１０のボルト穴をそれぞれ一致させ、角パイプ２４ａ及びスライド部材２４ｂのボルト穴を介して円板体１０にボルト２４ｃを螺合する。これにより、スライド部材２４ｂが円板体１０の中心側に引き込まれた状態で固定される。
【００４５】
また、スライド部材２４ｂを円板体１０の外周に対して突出した位置に保持する場合には、図２（ａ）に示すように、スライド部材２４ｂを円板体１０の外周側に移動させ、角パイプ２４ａのボルト穴、スライド部材２４ｂにおける円板体１０の外周側のボルト穴、スライド部材２４ｂの孔部１０ａ側のボルト穴、及び円板体１０のボルト穴をそれぞれ一致させ、角パイプ２４ａ及びスライド部材２４ｂのボルト穴を介して円板体１０にボルト２４ｃを螺合する。これにより、スライド部材２４ｂが円板体１０の外周に対して突出した状態で固定される。
【００４６】
図３はケーブルヘッド保持部５０の構成を示す図であり、図３（ａ）は、図１（ｂ）において、ケーブルヘッド保持部５０を平面視した図であり、図３（ｂ）は、図２（ｂ）において、ケーブルヘッド保持部５０を平面視した図である。
ケーブルヘッド保持部５０は、一方の円板体１０の内面には取り付けられている。ケーブルヘッド保持部５０は、図３（ａ）に示すように、長尺の金属板材の両端部に曲げ加工が施された、側面視コ字状のアングル５２と、中央部が円弧状に形成されたブラケット５４と、ブラケット５４の両端部をアングル５２に螺合して、ブラケット５４をアングル５２の中央部に固定するボルト５６、５６とによって構成されている。
【００４７】
アングル５２におけるブラケット５４の両側部に対向する部位には、ボルト穴が形成されており、このボルト穴に対応するボルト穴が円板体１０の内面に形成されている。そして、ブラケット５４のボルト穴と、このボルト穴に対応する円板体１０のボルト穴とを一致させ、ボルト５２ｂ、５２ｂを螺合することによってケーブルヘッド保持部５０が円板体１０に取り付けられる。ここで、アングル５２の長手方向の長さは、回転胴１４に固定胴１２を収納しかつブラケット支持部２４、２４からそれぞれスライド部材２４ｂを突出させた状態における、ボルト穴２４ｄ、２４ｄ間の長さに設定されている。このため、ケーブルドラム１の幅を縮小した場合にのみ、ケーブルヘッド保持部５０をスライド部材２４ｂ、２４ｂに固定することが可能になる。
【００４８】
アングル５２の長手方向両端部に形成した側面部には、図１（ｂ）に示すように、ボルト穴５２ａが形成されている。このボルト穴５２ａは、ボルト５２ｂによってボルト穴２４ｄと連結するためのものである。連結する際には、スライド部材２４ｂのボルト穴２４ｄとボルト穴５２ａとを一致させ、図３（ｂ）に示すように、ボルト５２ｂにより両者を連結する。具体的には、ケーブルドラム１の幅を縮小させ、胴体１１の両側の円板体１０、１０に設けられているブラケット支持部２４、２４からスライド部材２４ｂ、２４ｂを引き出し、図２（ｂ）に示すように、スライド部材２４ｂ、２４ｂの先端部をアングル５２によって掛け渡す。この時、ボルト５２ｂ、５２ｂを軸としてアングル５２を回動させ、アングル５２の表面が地面に対して垂直方向を向くように角度を調整してから、アングル５２をボルト５２ｂ、５２ｂによって強固に締め付けることが望ましい。
【００４９】
また、ケーブルヘッド保持部５０に、ケーブルヘッド１１０を保持させる場合には、まず、ボルト５６、５６を取り外して、アングル５２からブラケット５４を一担取り外し、アングル５２とブラケット５４との間にケーブルヘッド１１０を配置する。そして、再びボルト５６、５６によってブラケット５４をアングル５２に固定する。これにより、ケーブルヘッド１１０が、ケーブルヘッド保持部５０に保持される。
【００５０】
次に、ケーブルドラム１の使用形態について説明する。ケーブル輸送時においては、図１（ｂ）に示すように、ケーブルドラム１の幅を伸長させた状態とする。さらに、脚部材２０ｂ、２２ｂ及びスライド部材２４ｂは、それぞれ円板体１０の中心側に移動した状態で保持しておく。そして、回転胴１４にケーブル１００を巻き線する。ケーブル１００の先端にはケーブルヘッド１１０を固定しておき、このケーブルヘッド１１０は、円板体１０と回転胴側板１４ｂとの間に形成された空間に収納する。ここで、ケーブル１００の両端にケーブルヘッド１１０が固定されている場合には、例えば、回転胴１４と一方の円板体１０との間の空間に一端側のケーブルヘッド１１０を収納し、ケーブル１００を回転胴１４に巻き線してから、回転胴１４と他方の円板体１０との間の空間に他端側のケーブルヘッド１１０を収納する。
【００５１】
そして、ケーブル１００が巻き線されたケーブルドラム１を大型トラックに積載して作業現場に運搬する。
【００５２】
作業現場に運搬されたケーブルドラム１は、トラックから降ろされ、使用場所に移送される。そして、ドラム固定部２０、２２から脚部材２０ｂ、２２ｂを引き出し、脚部材２０ｂ、２２ｂを地面に当接させる。これにより、ケーブルドラム１は、脚部材２０ｂ、２０ｂ、２２ｂ、２２ｂによる４本の脚部材によって使用場所に固定され、円板体１０、１０が転動することが規制される。ケーブルドラム１の固定作業が終了した後、ケーブル１００の引き出し作業を行う。ケーブル１００の引き出し作業においては、回転胴１４が独立して回転する。
【００５３】
ケーブル１００を引き出した後のケーブルドラム１は、ケーブルヘッド１１０の架台として使用することができる。ケーブルドラム１は、ケーブルヘッド１１０の架台として使用する場合には、まず、円板体１０からボルト５２ｂ、５２ｂの取り外しを行い、円板体１０からケーブルヘッド保持部５０を取り外す。次に、円板体１０、１０を押し込んで、固定胴１２、１２を回転胴１４内に収納させることにより、ケーブルドラム１の幅を縮小させる。次に、ブラケット支持部２４のスライド部材２４ｂを引き出す。次に、スライド部材２４ｂの先端部に形成されたボルト穴２４ｄとボルト穴５２ａとを一致させ、ボルト５２ｂによって両者を連結する。これにより、図２（ｂ）に示すように、円板体１０、１０から延出したスライド部材２４ｂ、２４ｂの先端部に、ケーブルヘッド保持部５０が掛け渡される。
【００５４】
そして、ボルト５６、５６を取り外して、アングル５２からブラケット５４を一担取り外し、アングル５２とブラケット５４との間にケーブルヘッド１１０を配置して、再びボルト５６、５６によってブラケット５４をアングル５２に固定する。これにより、ケーブルヘッド１１０がケーブルヘッド保持部５０に固定される。ここで、ケーブルヘッド１１０を固定する前に、ケーブルヘッド１１０に連結されているケーブル１００は、ガイドローラ３２、３４上に載せておくようにする。
【００５５】
なお、ケーブル１００を引き出した後のケーブルドラム１を、ケーブルヘッド１１０の架台として使用しない場合には、図２（ｂ）に示すように、ケーブルドラム１の幅を縮小させてから、所定の保管場所に移動しておく。これにより、ケーブルドラム１の保管スペースを縮小することが可能である。また、ケーブルドラム１に、再度、ケーブル１００を巻き線する場合には、例えば、２人の作業員が、ケーブルドラム１の両側部において、取っ手３０を持って引っ張り合うことにより、図１（ｂ）に示すように、固定胴１２、１２を回転胴１４から引き出してケーブルドラム１の幅を伸長させてから、巻き線作業を行う。
【００５６】
以上説明したように、本実施形態によれば、胴体１１が伸縮自在であるため、ケーブル輸送の際には、ケーブルドラム１を、回転胴１４から固定胴１２を伸ばした状態で使用し、また、ケーブルドラム１からケーブル１００を引き出した後は、回転胴１４に固定胴１２を収納して胴体を縮小することにより、ケーブルドラム１の幅が縮小される。これにより、ケーブルドラム１を保管するために必要なスペースを縮小することが可能になる。また、ドラム固定部２０、２２の脚部材２０ｂ、２２ｂを伸長させて、脚部材２０ｂ、２２ｂの先端をケーブルドラム１の載置面（例えば、地面）に当接させることにより、ケーブルドラム１が転がることを防止することが可能になる。また、固定胴１２に対して回転胴１４が回転自在であることから、ケーブルドラム１を載置面に固定した状態で、ケーブル１００の引き出し作業を行うことが可能になる。また、ケーブルドラム１からケーブルを引き出した後は、ブラケット支持部２４のスライド部材２４ｂを伸長させ、スライド部材２４ｂにケーブルヘッド保持部５０を取り付けることにより、ケーブルドラム１を、ケーブルヘッド１１０を保持するためのケーブル架台として使用することが可能になる。これにより、ケーブルヘッド１１０を保持するための架台を別途用意する必要がなくなり、予め用意するケーブル架台の数を減らすことが可能になる。その結果、ケーブル架台の運搬、組立及び撤去にかかる負担を低減することが可能になる。
【００５７】
また、本実施形態によれば、回転胴１４から固定胴１２を伸長させた際に形成される、回転胴１４の端部と円板体１０との間の空間に、ケーブルヘッド１１０を収納することが可能になる。
【００５８】
また、本実施形態によれば、ケーブルヘッド保持部５０に保持されたケーブルヘッド１１０に連結しているケーブル１００を、ガイドローラ３２、３４上に載置することにより、ケーブル１００が地面を引きずるようなことが防止できる。
【００５９】
また、本実施形態によれば、ケーブルヘッド保持部５０のアングル５２の長手方向の長さは、回転胴１４に固定胴１２を収納させかつスライド部材２４ｂ、２４ｂを突出させた状態における、ボルト穴２４ｄ、２４ｄ間の長さに設定されているため、ケーブルドラム１の幅を縮小させた状態においてのみ、スライド部材２４ｂ、２４ｂにケーブルヘッド保持部５０を取り付けることが可能となる。これにより、ケーブルドラム１をケーブルヘッド１１０の架台として使用する際に、ケーブルドラム１をコンパクトにすることが可能になり、ケーブルヘッド１１０の架台の設置スペースを低減することが可能になる。
【００６０】
また、本実施形態によれば、円板体１０、１０の外側面に取っ手３０を設けたことにより、作業者が、取っ手３０を持って引いたり押したりすることにより、容易にケーブルドラム１の幅を変えることが可能になる。
【００６１】
以上、本発明の実施形態について説明したが、本発明は、上述したものに限るものではない。例えば、前述した実施形態においては、ケーブルヘッド１１０をケーブルヘッド保持部５０に保持させる場合に、アングル５２からブラケット５４を一時的に取り外しているが、それに限らず、例えば、ヒンジを用いてアングル５２とブラケット５４とを一体にしてもよい。また、ケーブルヘッド１１０の保持構造については、前述したものに限るものではなく、ケーブルヘッド１１０の大きさや形状に応じて適宜変更可能である。また、前述した実施形態においては、ケーブルヘッド保持部５０のアングル５２を円板体１０に取り付けているが、それに限らず、アングル５２をブラケット支持部２４の角パイプ２４ａ内に、スライド部材２４ｂ、２４ｂとともに折りたたみ収納し、ブラケット５４を円板体１０に固定するようにしてもよい。また、前述した実施形態においては、アングル５２は、一枚の長尺の金属板で形成されているが、それに限らず、複数の部材を連結して長尺に形成したものでもよい。
【００６２】
また、ケーブルドラム１を地面に強固に固定するために、脚部材２０ｂ、２２ｂを地面に刺して一部を埋設させるようにしてもよい。また、脚部材２０ｂ、２２ｂの先端部に、地面に平行な平面部を形成し、この平面部に穴を形成し、この穴にペグを打ち込んで脚部材２０ｂ、２２ｂを固定するように構成してもよい。
【符号の説明】
【００６３】
１  ケーブルドラム
１０  円板体
１０ａ  孔部
１１  胴体
１２  固定胴
１２ａ  固定胴円筒部
１２ｂ  固定胴側板
１４  回転胴
１４ａ  回転胴円筒部
１４ｂ  回転胴側板
２０、２２  ドラム固定部
２０ａ、２２ａ  レール
２０ｂ、２２ｂ  脚部材
２０ｃ、２２ｃ、２４ｃ、５２ｂ  ボルト
２０ｄ、２０ｅ、２２ｄ、２２ｅ、２４ｄ、５２ａ  ボルト穴
２４  ブラケット支持部
２４ａ  角パイプ
２４ｂ  スライド部材
３０  取っ手
３２、３４  ガイドローラ
３２ａ  中央円筒部
３２ｂ  側方円筒部
３２ｃ  側方円筒部
５０  ケーブルヘッド保持部
５２  アングル
５４  ブラケット
５６  ボルト
１００  ケーブル
１１０  ケーブルヘッド
【図１】
2011230889.tif 000003
【図２】
2011230889.tif 000004
【図３】
2011230889.tif 000005